(57)【特許請求の範囲】
【請求項１】
合成樹脂材料による成形品からなり仮係止アームを有する一対のレバー側板と、これらを連結する連結操作部とを有し雄コネクタに対して回動自在となるレバーを設け、該レバーの前記一対のレバー側板のそれぞれに設けた片持ち形状で可撓性を有する前記仮係止アームが前記雄コネクタに形成される仮係止段部に当接することで、前記レバーが前記雄コネクタに対して仮係止位置に保持され、この保持した状態で前記雄コネクタを雌コネクタに仮嵌合させると、該雌コネクタの係止解除用突起によって前記一対のレバー側板を外側に押し上げ前記仮係止アームと前記仮係止段部との当接状態を解除して前記レバーの回動操作が許容され、該レバーの回動操作を行うと、前記仮嵌合から前記雄コネクタと雌コネクタとの本嵌合へと移行するレバー嵌合式コネクタにおいて、
前記一対のレバー側板は、該各レバー側板の外形を形成する縁の部分である各縁部の前記連結操作部側寄りに、下側に膨出する膨出部分を形成してなり、
前記膨出部分は、前記連結操作部側に形成し下側に膨出する第１の縁部と、前記第１の縁部に連続し、円弧状に形成する円弧状縁部と、前記円弧状縁部に連続し、前記縁部に向かって真っ直ぐに形成するスリット縁部とを有してなり、
前記各膨出部分の縁部の前記スリット縁部の近傍には、前記縁部から突出するように前記仮係止アームを設け、
前記仮係止アームは、帯板状に形成され、先端部と、該先端部に連続し前記膨出部分の前記スリット縁部と平行に形成する一方の側部と、該先端部に連続し前記一方の側部の反対側に形成する他方の側部とを有し根元において前記レバー側板に一体に形成してなり、
前記スリット縁部と前記一方の側部とによってスリット部分を形成し、該スリット部分の幅寸法は、前記各仮係止アームが弾性領域を超えて変位する量よりも小さく設定し、該スリット部分は、該幅寸法で開口してなり、
前記一対のレバー側板のそれぞれに設けた各仮係止アームが前記スリット部分を狭める方向に撓んだ際に、弾性領域を超えて変位する以前に該各仮係止アームが、前記スリット縁部又は該スリット縁部と前記円弧状縁部との交点位置で当接し、前記各仮係止アームの撓み量（変位角度）が該各仮係止アームの弾性領域を超えて変位しないように構成した
ことを特徴とするレバー嵌合式コネクタ。
【請求項２】
請求項１に記載のレバー嵌合式コネクタにおいて、
前記レバー側板の前記スリット縁部と前記仮係止アームの前記一方の側部とによって形成される各スリット部分は、前記仮係止アームの根元側位置の幅寸法よりも該仮係止アームの先端側位置の幅寸法の方が前記スリット部分の幅寸法が狭くなるように形成してなる
ことを特徴とするレバー嵌合式コネクタ。
【請求項３】
請求項１に記載のレバー嵌合式コネクタにおいて、
前記仮係止アームの前記一方の側部及び／又は前記レバー側板の前記スリット縁部には、前記スリット部分の幅が狭くなる当接用凸部分を形成してなる
ことを特徴とするレバー嵌合式コネクタ。
【発明の詳細な説明】
【技術分野】
【０００１】
本発明は、雄コネクタに設けたレバーを回動させることにより、雄コネクタを雌コネクタに嵌合させ易くすることが可能なレバー嵌合式コネクタに関し、詳しくは、レバーに仮係止アームを設けてレバーを仮係止位置に保持する構造のレバー嵌合式コネクタに関する。
【背景技術】
【０００２】
レバーに仮係止アームを設けたレバー嵌合式コネクタとしては、下記特許文献１に開示された技術のものが知られている。以下、図面を参照しながら下記特許文献１に開示された従来例となるレバー嵌合式コネクタについて説明する。
【０００３】
図１１（ａ）は従来例のレバー嵌合式コネクタの斜視図、図１１（ｂ）は側面図である。また、図１２（ａ）は雄コネクタと雌コネクタとを仮係止位置に嵌合させた状態を示す斜視図、図１２（ｂ）は仮係止アームと仮係止解除用突起との関係を示す拡大斜視図、図１２（ｃ）はスライド誘導突起とレバースライド用当接突起との関係を示す拡大斜視図である。さらに、図１３は雄コネクタと雌コネクタとを仮係止位置に嵌合させた状態を示す側面図、図１４は雄コネクタと雌コネクタとを完全に嵌合させた状態を示す斜視図である。
【０００４】
図１１において、レバー嵌合式コネクタ１は、嵌合フード部２を有する雌コネクタ３と、嵌合フード部２に嵌合する雄コネクタ本体４を有する雄コネクタ５と、この雄コネクタ５に回動自在に設けられて回動操作をすることにより雄コネクタ５と雌コネクタ３とを嵌合離脱させるレバー６と、雄コネクタ５と嵌合フード部２との間に設けられてこれらの間をシールするシール部材（図示省略）と、を備えて構成されている。
【０００５】
雄コネクタ本体４の外周には、嵌合フード部２への雄コネクタ本体４の嵌合状態で嵌合フード部２を覆う防水フード部８が設けられている。この防水フード部８の外周面には、レバー６が回動自在に設けられている。レバー６には、防水フード部８を貫通して雄コネクタ本体４側に突出する支点突起９が設けられている。嵌合フード部２には、支点突起９を係止する支点係止部１０が設けられている。雄コネクタ本体４は、大小二つの雄コネクタ本体４ａ、４ｂとで構成されている。雄コネクタ本体４ａ、４ｂの周囲には、防水フード８を構成する防水フード部８ａ、８ｂが設けられている。
【０００６】
防水フード部８ａ、８ｂは、連結突起３１によって連結されている。防水フード部８ｂには、回動支軸３６が設けられている。この回動支軸３６は、レバー６の回動孔４２内に挿入されるようになっている。防水フード部８ｂには、電線引き出し面２５側まで略Ｌ字状のレバー先端部保持壁３７が設けられている。防水フード部８ａには、この外側にレバー保持部４３が設けられている。このレバー保持部４３の上部角部には、仮係止段部３８が設けられている。レバー保持部４３には、レバー６のロックアーム４６が挿入されるようになっている。仮係止段部３８には、レバー６の仮係止アーム４４が当接するようになっている。仮係止アーム４４が当接すると、レバー６が雄コネクタ５に対して仮係止位置に保持されるようになっている。
【０００７】
嵌合フード部２は、雌コネクタハウジング１１から突出するように設けられている。嵌合フード部２は、大小二つのフード部２ａ、２ｂで構成されている。フード部２ｂの上下面１２ａには、支点係止部１０が設けられている。支点係止部１０は、挿入用支点係止突起１３と、離脱用支点係止突起１４とで構成されている。挿入用支点係止突起１３は、平行面１３ａと係止斜面１３ｂとを有している。
【０００８】
フード部２ａの上下面１５ａ、１５ｂには、レバー６のスライド誘導突起１６を当接案内するレバースライド用当接突起１７が設けられている。このレバースライド用当接突起１７は、直線部１７ａと、傾斜部１７ｂとを有しており、傾斜部１７ｂの開口端側には、拾い部１７ｃが設けられている。また、フード部２ａの上下面１５ａ、１５ｂには、係止解除用突起１８が設けられている。係止解除用突起１８は、拾い斜面１８ａと、保持面１８ｂとを有している。フード部２ａの外側面１９には、ロック突起２１が設けられている。
【０００９】
レバー６は、一対のレバー側板３９と、連結操作部４０とで略コ字状の形状に形成されている。一対のレバー側板３９には、保持片４１が設けられている。一対のレバー側板３９の中間部には、長孔状の回動孔４２が形成されている。回動孔４２内には、回動支軸３６が挿入されて、これによりレバー６が雄コネクタ本体４に回動自在に保持されるようになっている。一対のレバー側板３９には、内側に向けてスライド誘導突起１６が設けられている。このスライド誘導突起１６は、フード部２ａのレバースライド用当接突起１７に当接案内されるようになっている。
【００１０】
一対のレバー側板３９には、可撓性を有する仮係止アーム４４が設けられている。この仮係止アーム４４は、レバー６が雄コネクタ本体４ｂに回動自在に支持された状態で、防水フード部８ａの仮係止段部３８に当接するようになっている。仮係止アーム４４は、雄コネクタ５に対する仮係止位置にレバー６を保持することができるようになっている。連結操作部４０は、連結板４５と、ロックアーム４６と、操作面４７とを有している。ロックアーム４６には、ロック枠部４８が設けられている。このロック枠部４８は、フード部２ａのロック突起２１に係合するようになっている。
【００１１】
次に、上記構成に基づきながら、レバー嵌合式コネクタ１の嵌合手順について説明する。
【００１２】
図１１に示す如く、雄コネクタ５と雌コネクタ３とを対向させ、フード部２ａ、２ｂと雄コネクタ本体４ａ、４ｂとを対向させる。この状態では、雄コネクタ５に対してレバー６が仮係止位置に保持されている。すなわち、レバー６の仮係止アーム４４が防水フード部８ａの仮係止段部３８に当接している。
【００１３】
図１２及び図１３に示す如く、雄コネクタ本体４ａ、４ｂをフード部２ａ、２ｂ内に仮嵌合させる。この状態では、レバー６が雄コネクタ５に対して仮係止位置にあり、図１２（ｂ）に示す如く、仮係止解除用突起１８が仮係止アーム４４を外側に押し上げて仮係止状態を解除する。この時、スライド誘導突起１６は、レバースライド用当接突起１７の初期位置に当接している。
【００１４】
このような状態から、レバー６の連結操作部４０に力Ｆを加えると、レバー６はスライド誘導突起１６がレバースライド用当接突起１７によって案内されて、嵌合方向と交差する方向、すなわち雄コネクタ５の長手方向に案内されて、雄コネクタ本体４ｂ側にスライドする。支点突起９が挿入用支点係止突起１３に係合して、この挿入用支点係止突起１３を支点として回動する。この回動操作により回動支軸３６を介して回動力が雄コネクタ本体４ａ、４ｂに加わり、雄コネクタ本体４ａ、４ｂはフード部２ａ、２ｂ内に挿入される。
【００１５】
そして、図１４に示す如く、レバー６を更に回動させると、このロック枠部４８がフード部２ａのロック突起２１に係合し、雄コネクタ本体４ａ、４ｂがフード部２ａ、２ｂ内に完全に挿入・嵌合され、これによって雄コネクタ５と雌コネクタ３との嵌合が完了する。
【特許文献１】特開２００５−１２２９４２号公報
【発明の開示】
【発明が解決しようとする課題】
【００１６】
上記従来のレバー嵌合式コネクタ１は、雄コネクタ本体４ａ、４ｂをフード部２ａ、２ｂ内に仮嵌合させる前の状態において、言い換えれば、雄コネクタ５に対してレバー６が仮係止位置に保持されている状態において、次のような問題点を有している。すなわち、仮嵌合前で仮係止位置に保持されたレバー６に対し、この連結操作部４０に不必要な力が加わると、防水フード部８ａの仮係止段部３８に当接しているレバー６の仮係止アーム４４に上記不必要な力が作用して破損を引き起こしてしまう恐れがあるという問題点を有している。
【００１７】
これは、仮係止アーム４４の隣に大きなスペースが生じるようにレバー側板３９が形成されているためで（隣に大きなスペースが生じる位置に仮係止アーム４４が設けられているためで）、仮係止アーム４４がこの弾性領域を超えて大きく撓むと破損してしまうことになる。
【００１８】
仮係止アーム４４は、上記不必要な力の作用を受けると、仮係止解除用突起１８によって外側に押し上げられる時とは異なる方向に撓むことから、この異なる方向の撓みによって仮係止アーム４４の根元あたりに亀裂が生じ、これによって破損してしまうことになる。
【００１９】
尚、仮係止アーム４４の幅を広げて上記異なる方向への撓みを抑えることが考えられるが、係止アームの４４の幅を広げると剛性が高まることから、仮係止解除用突起１８による外側への押し上げに影響を来してしまうことになる。
【００２０】
本発明は、上述した事情に鑑みてなされたもので、仮係止アームの破損を防止し、レバーの仮係止状態の安定化を図ることを可能としたレバー嵌合式コネクタを提供することを課題とする。
【課題を解決するための手段】
【００２１】
上記課題を解決するためになされた請求項１記載の本発明のレバー嵌合式コネクタは、合成樹脂材料による成形品からなり仮係止アームを有する一対のレバー側板と、これらを連結する連結操作部とを有し雄コネクタに対して回動自在となるレバーを設け、該レバーの前記一対のレバー側板のそれぞれに設けた片持ち形状で可撓性を有する前記仮係止アームが前記雄コネクタに形成される仮係止段部に当接することで、前記レバーが前記雄コネクタに対して仮係止位置に保持され、この保持した状態で前記雄コネクタを雌コネクタに仮嵌合させると、該雌コネクタの係止解除用突起によって前記一対のレバー側板を外側に押し上げ前記仮係止アームと前記仮係止段部との当接状態を解除して前記レバーの回動操作が許容され、該レバーの回動操作を行うと、前記仮嵌合から前記雄コネクタと雌コネクタとの本嵌合へと移行するレバー嵌合式コネクタにおいて、
前記一対のレバー側板は、該各レバー側板の外形を形成する縁の部分である各縁部の前記連結操作部側寄りに、下側に膨出する膨出部分を形成してなり、
前記膨出部分は、前記連結操作部側に形成し下側に膨出する第１の縁部と、前記第１の縁部に連続し、円弧状に形成する円弧状縁部と、前記円弧状縁部に連続し、前記縁部に向かって真っ直ぐに形成するスリット縁部とを有してなり、
前記各膨出部分の縁部の前記スリット縁部の近傍には、前記縁部から突出するように前記仮係止アームを設け、
前記仮係止アームは、帯板状に形成され、先端部と、該先端部に連続し前記膨出部分の前記スリット縁部と平行に形成する一方の側部と、該先端部に連続し前記一方の側部の反対側に形成する他方の側部とを有し根元において前記レバー側板に一体に形成してなり、
前記スリット縁部と前記一方の側部とによってスリット部分を形成し、該スリット部分の幅寸法は、前記各仮係止アームが弾性領域を超えて変位する量よりも小さく設定し、該スリット部分は、該幅寸法で開口してなり、
前記一対のレバー側板のそれぞれに設けた各仮係止アームが前記スリット部分を狭める方向に撓んだ際に、弾性領域を超えて変位する以前に該各仮係止アームが、前記スリット縁部又は該スリット縁部と前記円弧状縁部との交点位置で当接し、前記各仮係止アームの撓み量（変位角度）が該各仮係止アームの弾性領域を超えて変位しないように構成したことを特徴としている。
【００２２】
請求項２記載の本発明のレバー嵌合式コネクタは、請求項１に記載のレバー嵌合式コネクタにおいて、前記レバー側板の前記スリット縁部と前記仮係止アームの前記一方の側部とによって形成される各スリット部分は、前記仮係止アームの根元側位置の幅寸法よりも該仮係止アームの先端側位置の幅寸法の方が前記スリット部分の幅寸法が狭くなるように形成してなることを特徴としている。
【００２３】
請求項３記載の本発明のレバー嵌合式コネクタは、請求項１に記載のレバー嵌合式コネクタにおいて、前記仮係止アームの前記一方の側部及び／又は前記レバー側板の前記スリット縁部には、前記スリット部分の幅が狭くなる当接用凸部分を形成してなることを特徴としている。
【００２４】
このような特徴を有する本発明によれば、レバーが雄コネクタに対して仮係止位置に保持されている状態において、レバーに不必要な力が加わりこの不必要な力が仮係止アームに作用したとしても、仮係止アームは少しだけ撓んでレバー側板の縁部に当接し、これ以上撓むことが阻止される。
【発明の効果】
【００２５】
請求項１に記載された本発明によれば、仮係止アームの破損を防止することができるという効果を奏する。そしてこれにより、レバーの仮係止状態の安定化を図ることができるという効果も奏する。
【００２６】
請求項２、３に記載された本発明によれば、仮係止アームの破損につながる方向の撓み量を一層小さくすることができるという効果を奏する。
【発明を実施するための最良の形態】
【００２７】
以下、図面を参照しながら説明する。図１は本発明のレバー嵌合式コネクタの一実施の形態を示す分解斜視図である。また、図２はレバーの側面図、図３は雄コネクタに対してレバーが仮係止位置に保持された状態を示す図、図４は仮係止アームが撓んだ状態を示す図、図５は図４の要部拡大図である。
【００２８】
図１において、本発明のレバー嵌合式コネクタ５１は、雄コネクタ５２と、この雄コネクタ５２に回動自在の設けられるレバー５３と、レバー５３を回動操作することにより雄コネクタ５２が嵌合して電気的な接続がなされる雌コネクタ５４とを備えて構成されている（防水性を持たせる場合には、シール部材も備えるものとする）。レバー嵌合式コネクタ５１は、レバー５３に設けた一対の仮係止アーム５５が雄コネクタ５２の各仮係止段部５６（図３参照）に当接することにより、レバー５３が雄コネクタ５２に対して仮係止位置に保持されるような構造を有している。
【００２９】
尚、レバー５３の機能や、雄コネクタ５２と雌コネクタ５４との嵌合に係る作用は、従来例のレバー嵌合式コネクタ１（図１１ないし図１４参照）と基本的に同じであり、ここでの説明は省略するものとする。本発明は、レバー５３に設けた各仮係止アーム５５と、この各仮係止アーム５５の周辺の構造とに特徴を有することから、これらに関して以下、図面を参照しながら説明するものとする。
【００３０】
図１ないし図３において、レバー５３は、合成樹脂材料による成形品であって、仮係止アーム５５を有する一対のレバー側板５７と、これらを連結する連結操作部５８とを有している。レバー５３は、略コ字状の形状となるように形成されている。各レバー側板５７は、所定の間隔で対向するように配置されている。各レバー側板５７の中間部には、それぞれ二つの回動孔５９、６０が形成されている。回動孔５９、６０内には、雄コネクタ５２の回動支軸６１、６２が挿入されるようになっている。これらの部分によってレバー５３は回動自在となるようになっている。各レバー側板５７には、内側に向けて突出するスライド誘導突起６３がそれぞれ設けられている。スライド誘導突起６３は、回動孔５９、６０よりもレバー５３の自由端側に設けられている。
【００３１】
各レバー側板５７には、片持ち形状で可撓性を有する仮係止アーム５５がそれぞれ設けられている。この各仮係止アーム５５は、レバー５３が雄コネクタ５２に回動自在に支持された状態で、雄コネクタ５２の各仮係止段部５６に当接するようになっている。各仮係止アーム５５は、雄コネクタ５２に対する仮係止位置にレバー５３を保持することができるようになっている。各仮係止アーム５５は、雌コネクタ５４の仮係止解除用突起６４によって外側（レバー側板５７の外側。図２の場合、紙面手前側）に押し上げられると、これによって各仮係止段部５６との仮係止状態が解除されるようになっている。
【００３２】
図２において、各仮係止アーム５５は、回動孔５９、６０よりも連結操作部５８側に位置するように設けられている。また、各仮係止アーム５５は、レバー側板５７の縁部６５から突出するように設けられている。各仮係止アーム５５は、本形態において帯板状であって（形状は一例であるものとする）、先端部５５ａと、一方の側部５５ｂと、他方の側部５５ｃとを有している。引用符号５５ｄは仮係止アーム５５の根元を示している。
【００３３】
ここで、各レバー側板５７の縁部６５に関して説明する。縁部６５は、各レバー側板５７の外形を形成する縁の部分を指している。各レバー側板５７には、回動孔５９、６０よりも連結操作部５８側、且つ、下側に膨出部分６６がそれぞれ形成されている。この各膨出部分６６の縁部の近傍には、仮係止アーム５５がそれぞれ設けられている。引用符号６７は、各膨出部分６６の縁部と各仮係止アーム５５との間に生じるスリット部分を示している。
【００３４】
膨出部分６６の縁部は、スリット部分６７の位置に存在するスリット縁部６５ａと、連結操作部５８側に存在する縁部６５ｂと、これらスリット縁部６５ａ及び縁部６５ｂの間に存在する円弧状縁部６５ｃとを有している。スリット縁部６５ａは、真っ直ぐに形成されている。
【００３５】
各仮係止アーム５５は、この一方の側部５５ｂが膨出部分６６の真っ直ぐなスリット縁部６５ａに対して平行となるように、且つ、スリット縁部６５ａの近傍に位置するように設けられている。一方の側部５５ｂとスリット縁部６５ａとの間隔、言い換えればスリット部分６７の幅寸法Ｌ１は、各仮係止アーム５５がこの弾性領域を超えて変位する量よりも小さく設定されている。各スリット部分６７は、小さい幅寸法Ｌ１で開口するようになっている。
【００３６】
各仮係止アーム５５は、矢印Ｐ方向に撓んだ場合、弾性領域を超えて変位する前に各スリット縁部６５ａに当接するように設けられている。本形態において、各仮係止アーム５５は、少しだけ矢印Ｐ方向に撓んで各スリット縁部６５ａに当接するようになっている。
【００３７】
各仮係止アーム５５は、スリット縁部６５ａと円弧状縁部６５ｃとの交点位置よりも長く突出するように形成されている（一例であるものとする）。各仮係止アーム５５は、矢印Ｐ方向に撓むと、上記交点位置で当接するようになっている（一例であるものとする。上記交点位置で当接するようにすれば、各仮係止アーム５５の長さを変更しても、撓み量（変位角度）が変わらないことになる）。
【００３８】
連結操作部５８は、連結板６８と、ロック部６９と、操作部７０とを有している。
【００３９】
上記構成において、図３に示す如く、レバー５３は雄コネクタ５２に対して仮係止位置に保持されている。すなわち、レバー５３の各仮係止アーム５５が雄コネクタ５２の各仮係止段部５６に当接した状態になっている。図３は、雌コネクタ５４（図１参照）との仮嵌合を行う前の状態である。
【００４０】
レバー５３が雄コネクタ５２に対し仮係止位置に保持された状態において、レバー５３の連結操作部５８に不必要な力が加わると、各仮係止段部５６に当接している各係止アーム５５に上記不必要な力が作用し、図４及び図５に示す如く、各係止アーム５５には撓みが生じる（図５中の破線は仮係止アーム５５の撓む前の状態を示している）。各仮係止アーム５５は、少しだけ矢印Ｐ方向に撓んで各スリット縁部６５ａに当接する。各仮係止アーム５５は、弾性領域を超えて変位する前に各スリット縁部６５ａに当接することから、これ以上撓むことが阻止される。
【００４１】
以上、図１ないし図５を参照しながら説明してきたように、本発明によれば各仮係止アーム５５の破損を防止することができる。そしてこれにより、レバー５３の仮係止状態の安定化を図ることができる。本発明によれば、意図しない方向への撓みに対し、これを抑制することができる。各仮係止アーム５５の破損を防止することにより、レバー５３のリペアの必要性もなくすことができる。
【００４２】
次に、図６ないし図１０を参照しながら本発明のレバー嵌合式コネクタの他の一実施の形態を説明する。図６は他の一実施の形態を示す分解斜視図である。また、図７はレバーの側面図、図８は雄コネクタに対してレバーが仮係止位置に保持された状態を示す図、図９は仮係止アームが撓んだ状態を示す図、図１０は図９の要部拡大図である。尚、上記実施形態と同じ構成に対しては同一の符号を付して説明を省略するものとする。
【００４３】
図６において、本発明のレバー嵌合式コネクタ８１は、雄コネクタ５２と、この雄コネクタ５２に回動自在の設けられるレバー８２と、レバー８２を回動操作することにより雄コネクタ５２が嵌合して電気的な接続がなされる雌コネクタ５４（図１参照）とを備えて構成されている。レバー嵌合式コネクタ８１は、レバー８２に設けた一対の仮係止アーム５５が雄コネクタ５２の各仮係止段部５６（図８参照）に当接することにより、レバー８２が雄コネクタ５２に対して仮係止位置に保持されるような構造になっている。
【００４４】
レバー嵌合式コネクタ８１は、図１ないし図５の実施形態に対して、レバー８２の各仮係止アーム５５の周辺部分が異なっている。具体的には、一対のレバー側板８３の各膨出部分８４と、この各膨出部分８４及び各仮係止アーム５５間に生じる各スリット部分８５とが異なっている。
【００４５】
各レバー側板８３の縁部８６は、レバー側板８３の外形を形成する縁の部分を指している。各レバー側板８３には、膨出部分８４がそれぞれ形成されており、この各膨出部分８４の縁部の近傍に仮係止アーム５５がそれぞれ設けられている。膨出部分８４の縁部は、スリット部分８５の位置に存在するスリット縁部８６ａと、連結操作部５８側に存在する縁部８６ｂと、これらスリット縁部８６ａ及び縁部８６ｂの間に存在する凹状縁部８６ｃとを有している。
【００４６】
本形態において、スリット縁部８６ａは、真っ直ぐに形成されているものの、各仮係止アーム５５の一方の側部５５ｂに対して非平行となるように形成されている。各スリット部分８５は、仮係止アーム５５の根元５５ｄ側の位置よりも先端５５ａ側の位置の方が幅が狭くなるように形成されている。各スリット部分８５の幅寸法（一番狭い部分）をＬ２とすると、この幅寸法Ｌ２は上記実施形態での幅寸法Ｌ１よりも小さくなっている。各スリット部分８５の幅寸法Ｌ２は、各仮係止アーム５５がこの弾性領域を超えて変位する量よりも格段に小さくなるように設定されている。各スリット部分８５は、上記実施形態よりも小さい幅寸法Ｌ２で開口するようになっている。
【００４７】
各仮係止アーム５５は、矢印Ｐ方向に撓んだ場合、弾性領域を超えて変位する前に各スリット縁部８６ａに当接するように設けられている。本形態において、各仮係止アーム５５は、少しだけ矢印Ｐ方向に撓んで各スリット縁部８６ａに当接するようになっている。
【００４８】
各仮係止アーム５５は、スリット縁部８６ａと凹状縁部８６ｃとの交点位置よりも若干長く突出するように形成されている（一例であるものとする）。各仮係止アーム５５は、矢印Ｐ方向に撓むと、上記交点位置で当接するようになっている（一例であるものとする）。
【００４９】
上記構成において、図８に示す如く、レバー８２は雄コネクタ５２に対して仮係止位置に保持されている。すなわち、レバー８２の各仮係止アーム５５が雄コネクタ５２の各仮係止段部５６に当接した状態になっている。図８は、雌コネクタ５４（図１参照）との仮嵌合を行う前の状態である。
【００５０】
レバー８２が雄コネクタ５２に対し仮係止位置に保持された状態において、レバー８２の連結操作部５８に不必要な力が加わると、各仮係止段部５６に当接している各係止アーム５５に上記不必要な力が作用し、図９及び図１０に示す如く、各係止アーム５５には撓みが生じる（図１０中の破線は仮係止アーム５５の撓む前の状態を示している）。各仮係止アーム５５は、少しだけ矢印Ｐ方向に撓んで各スリット縁部８６ａに当接する。各仮係止アーム５５は、弾性領域を超えて変位する前に各スリット縁部８６ａに当接することから、これ以上撓むことが阻止される。
【００５１】
以上、図６ないし図１０を参照しながら説明してきたように、本発明によれば各仮係止アーム５５の破損を防止することができる。そしてこれにより、レバー８２の仮係止状態の安定化を図ることができる。本発明によれば、意図しない方向への撓みに対し、これを抑制することができる。各仮係止アーム５５の破損を防止することにより、レバー８２のリペアの必要性もなくすことができる。
【００５２】
この他、本発明は本発明の主旨を変えない範囲で種々変更実施可能なことは勿論である。
【００５３】
例えば図２の仮係止アーム５５、スリット縁部６５ａの場合、特に図示しないが、スリット縁部６５ａに向けて突出しスリット縁部６５ａにいち早く当接する当接用凸部分（突起）を仮係止アーム５５に設けても良いものとする。又は、仮係止アーム５５に向けて突出し仮係止アーム５５がいち早く当接する当接用凸部分（突起）をスリット縁部６５ａに設けても良いものとする。当接用凸部分（突起）を設けることによって、仮係止アーム５５の意図しない方向への撓み量をより一層少なくすることができる。
【図面の簡単な説明】
【００５４】
【図１】本発明のレバー嵌合式コネクタの一実施の形態を示す分解斜視図である。
【図２】レバーの側面図である。
【図３】雄コネクタに対してレバーが仮係止位置に保持された状態を示す図である。
【図４】仮係止アームが撓んだ状態を示す図である。
【図５】図４の要部拡大図である。
【図６】本発明のレバー嵌合式コネクタの他の一実施の形態を示す分解斜視図である。
【図７】レバーの側面図である。
【図８】雄コネクタに対してレバーが仮係止位置に保持された状態を示す図である。
【図９】仮係止アームが撓んだ状態を示す図である。
【図１０】図９の要部拡大図である。
【図１１】（ａ）は従来例のレバー嵌合式コネクタの斜視図、（ｂ）は側面図である。
【図１２】（ａ）は図１１の雄コネクタと雌コネクタとを仮係止位置に嵌合させた状態を示す斜視図、（ｂ）は仮係止アームと仮係止解除用突起との関係を示す拡大斜視図、（ｃ）はスライド誘導突起とレバースライド用当接突起との関係を示す拡大斜視図である。
【図１３】図１１の雄コネクタと雌コネクタとを仮係止位置に嵌合させた状態を示す側面図である。
【図１４】図１１の雄コネクタと雌コネクタとを完全に嵌合させた状態を示す斜視図である。
【符号の説明】
【００５５】
５１  レバー嵌合式コネクタ
５２  雄コネクタ
５３  レバー
５４  雌コネクタ
５５  仮係止アーム
５５ａ  先端部（先端）
５５ｂ  一方の側部
５５ｃ  他方の側部
５５ｄ  根元
５６  仮係止段部
５７  レバー側板
５８  連結操作部
５９、６０  回動孔
６１、６２  回動支軸
６３  スライド誘導突起
６４  仮係止解除用突起
６５  縁部
６５ａ  スリット縁部（縁部）
６５ｂ  縁部
６５ｃ  円弧状縁部
６６  膨出部分
６７  スリット部分
６８  連結板
６９  ロック部
７０  操作部
８１  レバー嵌合式コネクタ
８２  レバー
８３  レバー側板
８４  膨出部分
８５  スリット部分
８６  縁部
８６ａ  スリット縁部（縁部）
８６ｂ  縁部
８６ｃ  凹状縁部
【図１】
0004964039.tif 000002
【図２】
0004964039.tif 000003
【図３】
0004964039.tif 000004
【図４】
0004964039.tif 000005
【図５】
0004964039.tif 000006
【図６】
0004964039.tif 000007
【図７】
0004964039.tif 000008
【図８】
0004964039.tif 000009
【図９】
0004964039.tif 000010
【図１０】
0004964039.tif 000011
【図１１】
0004964039.tif 000012
【図１２】
0004964039.tif 000013
【図１３】
0004964039.tif 000014
【図１４】
0004964039.tif 000015